(57)【要約】【課題】多波長互換レンズを用いて光ディスクに記録再生する場合に、光ディスクのメインスポット周辺の不要光あるいは光ディスクのサブスポット周辺の不要光を除去する光ディスク用対物レンズ及び光ピックアップ装置を提供する。【解決手段】光ディスク用対物レンズ２０１において、第１の波長の第１のレーザ光と、第２の波長の第２レーザ光を集光するための第１の光透過領域２０４と第１の光透過領域２０４の外側にあって第１の波長よりも短い第２の波長の第２のレーザ光を集光するための第２の光透過領域２０３とを有し、第２の光透過領域２０３には、隣接する輪帯２０２の光ディスク媒体の記録面上の集光点までの光路長の差が、第２のレーザ光に関しては第２の波長の整数倍の光路長となり、且つ、第１のレーザ光に関しては第１の波長の（整数＋０．５）倍の光路長となる深さの複数の輪帯２０２の領域を設ける。【選択図】図２
2013122798.tif 000002
【特許請求の範囲】
【請求項１】
異なる波長の複数のレーザ光を異なる種類の複数の光ディスク媒体に微小スポットとして集光するための光ディスク用対物レンズにおいて、
前記複数のレーザ光のうちの第１の波長の第１のレーザ光を第１の開口数で集光し、前記複数のレーザ光のうちの第２の波長の第２レーザ光を第２の開口数で集光するための第１の光透過領域と、前記第１の光透過領域の外側にあって前記第１の波長よりも短い第２の波長の第２のレーザ光を前記第１の開口数よりも大きい第２の開口数で集光するための第２の光透過領域とを有し、
前記第２の光透過領域には、隣接する輪帯の前記光ディスク媒体の記録面上の集光点までの光路長の差が、前記第２のレーザ光に関しては前記第２の波長の整数倍の光路長となり、且つ、前記第１のレーザ光に関しては前記第１の波長の（整数＋０．５）倍の光路長となる深さの複数の輪帯領域を設けたことを特徴とする光ディスク用対物レンズ。
【請求項２】
請求項１に記載の光ディスク用対物レンズにおいて、
前記第２光透過領域に設けた前記複数の輪帯の各輪帯の幅が等しいか、または、前記複数の輪帯のうち、レンズ中心から見て外側に位置する輪帯の幅が内側に位置する輪帯の幅よりも狭いことを特徴とする光ディスク用対物レンズ。
【請求項３】
請求項１に記載の光ディスク用対物レンズにおいて、
前記第２光透過領域に設けた前記複数の輪帯の各輪帯の幅がレンズ中心から見て外側にいくにつれて徐々に狭くなることを特徴とする光ディスク用対物レンズ。
【請求項４】
異なる波長の複数のレーザ光を放射する複数のレーザ光源と、前記複数のレーザ光を異なる種類の複数の光ディスク媒体に微小スポットとして集光するための光ディスク用対物レンズと、前記複数の光ディスク媒体から反射した反射光を受光するための光検出器とからなる光ディスク用ピックアップ装置において、
前記光ディスク用対物レンズに、前記第１の波長の第１のレーザ光を第１の開口数で集光し、第２の波長の第２のレーザ光を第２の開口数で集光するための第１の光透過領域と、前記第１の光透過領域の外側にあって前記第１の波長よりも短い第２の波長の第２のレーザ光を前記第１の開口数よりも大きい第２の開口数で集光するための第２の光透過領域とを設け、前記第２の光透過領域には、隣接する輪帯の前記光ディスク媒体の記録面上の集光点までの光路長の差が、前記第２のレーザ光に関しては前記第２の波長の整数倍の光路長となり、且つ、前記第１のレーザ光に関しては前記第１の波長の（整数＋０．５）倍の光路長となる深さの複数の輪帯を設けたことを特徴とする光ディスク用ピックアップ装置。
【請求項５】
請求項４に記載の光ディスク用ピックアップ装置において、
前記光ディスク用対物レンズの前記第２の光透過領域に設けた前記複数の輪帯の各輪帯の幅が等しいか、または、前記複数の輪帯のうち、レンズ中心から見て外側に位置する輪帯の幅が内側に位置する輪帯の幅よりも狭いことを特徴とする光ディスク用ピックアップ装置。
【請求項６】
請求項４に記載の光ディスク用ピックアップ装置において、
前記光ディスク用対物レンズの前記第２の光透過領域に設けた前記複数の輪帯の各輪帯の幅がレンズ中心から見て外側にいくにつれて徐々に狭くなることを特徴とする光ディスク用ピックアップ装置。
【発明の詳細な説明】
【技術分野】
【０００１】
本発明は、同一の対物レンズでもってＤＶＤ（Digital  Versatile  Disc）ディスクやＣＤ（Compact  Disc）ディスクなど異なる種類の光ディスク媒体への情報の記録や再生を行うための、光ディスク用対物レンズ及び光ディスク用ピックアップ装置に関する。
【背景技術】
【０００２】
ＤＶＤ／ＣＤ互換レンズでは、ＤＶＤ光とＣＤ光を絞り込むためのＤＶＤ／ＣＤ共用領域と、共用領域の外側にＤＶＤ光だけを絞り込むためのＤＶＤ専用領域が設けられている。
【０００３】
例えば、特許文献１には、回折レンズ面を用いたレンズにおいて、ＤＶＤ専用領域には回折レンズ面を作成せずにＣＤ光の収差を残して集光させない構造が開示されている。
【０００４】
また、特許文献２には、ＤＶＤ専用領域に回折レンズ面を形成し、ＣＤ光を拡散させる構造が開示されている。また、特許文献３には、ＤＶＤ専用領域内の内側（共通領域側）にＣＤ光に対する透過率が低い中間領域を設ける構造が開示されている。
【先行技術文献】
【特許文献】
【０００５】
【特許文献１】特開２０００−８１５６６号公報
【特許文献２】特開２００２−３３３５７６号公報
【特許文献３】特開２００４−３４２２９２号公報
【発明の概要】
【発明が解決しようとする課題】
【０００６】
ＤＶＤ／ＣＤ互換レンズを用いてＣＤディスクに記録再生する場合、外側のＤＶＤ専用領域を通過した光は不要光である。不要光がメインスポット周辺に集光していると、再生信号が劣化し、あるいは、記録マークが劣化する。よって、メインスポット周辺の不要光は除去しなくてはならない。
【０００７】
さらに、メインスポットから１０〜２０μｍ程度の離れた位置に、トラックずれ検出信号を検出するためのサブスポットを配置した光ピックアップ装置も多く、不要光がサブスポット周辺に散乱していると、サブスポットを用いて検出するトラックずれ検出信号などに誤差が生じる。よって、サブスポット周辺の不要光も除去しなくてはならない。
【０００８】
上記従来技術では、メインスポット周辺に集光する不要光あるいはサブスポット周辺に散乱する不要光を除去することができないという問題点があった。
【０００９】
本発明は、ＤＶＤ／ＣＤ互換レンズ等の多波長互換レンズを用いてＣＤディスク等の光ディスクに記録再生する場合に、ＣＤディスク等の光ディスクのメインスポット周辺の不要光あるいは光ディスクのサブスポット周辺に散乱する不要光を除去することのできる光ディスク用対物レンズ及び光ディスク用ピックアップ装置を提供することを目的とする。
【課題を解決するための手段】
【００１０】
上記課題を解決するために、本発明の光ディスク用対物レンズは、異なる波長の複数のレーザ光を異なる種類の複数の光ディスク媒体に微小スポットとして集光するための光ディスク用対物レンズにおいて、前記複数のレーザ光のうちの第１の波長の第１のレーザ光を第１の開口数で集光し、前記複数のレーザ光のうちの第２の波長の第２レーザ光を第２の開口数で集光するための第１の光透過領域と、前記第１の光透過領域の外側にあって前記第１の波長よりも短い第２の波長の第２のレーザ光を前記第１の開口数よりも大きい第２の開口数で集光するための第２の光透過領域とを有し、前記第２の光透過領域には、隣接する輪帯の前記光ディスク媒体の記録面上の集光点までの光路長の差が、前記第２のレーザ光に関しては前記第２の波長の整数倍の光路長となり、且つ、前記第１のレーザ光に関しては前記第１の波長の（整数＋０．５）倍の光路長となる深さの複数の輪帯領域を設けたことを特徴とする。
【００１１】
本発明の光ディスク用対物レンズは、更に、前記第２の透過領域に設けた前記複数の輪帯の各輪帯の幅が等しいか、または、前記複数の輪帯のうち、レンズ中心から見て外側に位置する輪帯の幅が内側に位置する輪帯の幅よりも狭いことが好ましい。
【００１２】
本発明の光ディスク用対物レンズは、更に、前記第２の透過領域に設けた前記複数の輪帯の輪帯の幅がレンズ中心から見て外側にいくにつれて徐々に狭くなることが好ましい。
【００１３】
また、本発明の光ディスク用ピックアップ装置は、異なる波長の複数のレーザ光を放射する複数のレーザ光源と、前記複数のレーザ光を異なる種類の複数の光ディスク媒体に微小スポットとして集光するための光ディスク用対物レンズと、前記複数の光ディスク媒体から反射した反射光を受光するための光検出器とからなる光ディスク用ピックアップ装置において、前記光ディスク用対物レンズに、前記第１の波長の第１のレーザ光を第１の開口数で集光し、第２の波長の第２のレーザ光を第２の開口数で集光するための第１の光透過領域と、前記第１の光透過領域の外側にあって前記第１の波長よりも短い第２の波長の第２のレーザ光を前記第１の開口数よりも大きい第２の開口数で集光するための第２の光透過領域とを設け、前記第２の光透過領域には、隣接する輪帯の前記光ディスク媒体の記録面上の集光点までの光路長の差が、前記第２のレーザ光に関しては前記第２の波長の整数倍の光路長となり、且つ、前記第１のレーザ光に関しては前記第１の波長の（整数＋０．５）倍の光路長となる深さの複数の輪帯を設けたことを特徴とする。
【００１４】
本発明の光ディスク用ピックアップ装置は、更に、前記光ディスク用対物レンズの前記第２の光透過領域に設けた前記複数の輪帯の各輪帯の幅が等しいか、または、前記複数の輪帯のうち、レンズ中心から見て外側に位置する輪帯の幅が内側に位置する輪帯の幅よりも狭いことが好ましい。
【００１５】
本発明の光ディスク用ピックアップ装置は、更に、前記光ディスク用対物レンズの前記第２の光透過領域に設けた前記複数の輪帯の各輪帯の幅がレンズ中心から見て外側にいくにつれて徐々に狭くなることが好ましい。
【発明の効果】
【００１６】
本発明によれば、上記の複数の輪帯を設けたことにより不要光がメインスポット周辺に散乱することがないので、再生信号や記録マークが劣化することがない。
【００１７】
また、各輪帯の幅が概略等しい輪帯構造とすることにより、不要光をサブスポット位置より遠方に除去することができ、または、各輪帯の幅が外周にいくにつれて徐々に狭くなる輪帯構造とすることにより、不要光をサブスポット位置より遠方に除去し、さらに拡散することができるので、不要光がサブスポット周辺に散乱することがなく、トラックずれ検出信号などを正確に検出できる。
【００１８】
本発明によれば、ＤＶＤ／ＣＤ互換レンズを用いてＣＤディスクに記録再生する場合に、ＣＤディスクのメインスポット周辺の不要光あるいはサブスポット周辺に散乱する不要光を除去することのできる高性能の光ピックアップや光ディスク装置を実現することができる。
【図面の簡単な説明】
【００１９】
【図１】図１は、本発明の実施例１の光ディスク用対物レンズの設計データを示す図である。
【図２】図２は、本発明の実施例１の光ディスク用対物レンズの断面の模式図である。
【図３】図３は、本発明の実施例１の光ディスク用対物レンズにＤＶＤレーザ光を照射した場合の波面収差を示す図であり、図３（Ａ）はＣＤ／ＤＶＤ共用領域とＤＶＤ共用領域の波面収差を示す図であり、図３（Ｂ）は  ＤＶＤ共用領域の波面収差を示す拡大図である。
【図４】図４は、本発明の実施例１の光ディスク用対物レンズにＣＤレーザ光を照射した場合の波面収差を示す図であり、図４（Ａ）はＣＤ／ＤＶＤ共用領域とＤＶＤ共用領域の波面収差を示す図であり、図４（Ｂ）は  ＤＶＤ専用領域の波面収差を示す拡大図である。
【図５】図５は、ＤＶＤ専用領域に輪帯構造がない場合の波面収差を示す図であり、図５（Ａ）は、ＤＶＤレーザ光を照射した場合の波面収差を示す参考図、図５（Ｂ）は、ＣＤレーザ光を照射した場合の波面収差を示す参考図である。
【図６】図６は、光ディスク面上の光スポット断面図であり、図６（Ａ）は、本発明の実施例１の光ディスク用対物レンズによる光スポット断面図、図６（Ｂ）は、ＤＶＤ専用領域に輪帯構造がない場合の光スポット断面図である。
【図７】図７は、本発明の実施例２の光ディスク用対物レンズの設計データを示す図である。
【図８】図８は、本発明の実施例２の光ディスク用対物レンズの断面の模式図である。
【図９】図９は、本発明の実施例２の光ディスク用対物レンズにＤＶＤレーザ光を照射した場合の波面収差を示す図であり、図９（Ａ）はＣＤ／ＤＶＤ共用領域とＤＶＤ共用領域の波面収差を示す図であり、図９（Ｂ）は  ＤＶＤ共用領域の波面収差を示す拡大図である。
【図１０】図１０は、本発明の実施例２の光ディスク用対物レンズにＣＤレーザ光を照射した場合の波面収差を示す図であり、図１０（Ａ）はＣＤ／ＤＶＤ共用領域とＤＶＤ共用領域の波面収差を示す図であり、図１０（Ｂ）は  ＤＶＤ専用領域の波面収差を示す拡大図である。
【図１１】図１１は、ＤＶＤ専用領域に輪帯構造がない場合の波面収差を示す図であり、図１１（Ａ）は、ＤＶＤレーザ光を照射した場合の波面収差を示す参考図、図１１（Ｂ）は、ＣＤレーザ光を照射した場合の波面収差を示す参考図である。
【図１２】図１２は、光ディスク面上の光スポット断面図であり、図１２（Ａ）は、本発明の実施例２の光ディスク用対物レンズによる光スポット断面図、図１２（Ｂ）は、ＤＶＤ専用領域に輪帯構造がない場合の光スポット断面図である。
【図１３】図１３は、本発明の実施例３の光ディスク用対物レンズの断面の模式図である。
【図１４】図１４は、本発明の実施例４の光ディスク用対物レンズの断面の模式図である。
【発明を実施するための形態】
【００２０】
以下、本発明の実施の形態について、図面を参照して説明する。
【実施例１】
【００２１】
図１は、本発明の実施例１のＤＶＤ／ＣＤ互換の光ディスク用対物レンズの設計データを示している。
【００２２】
本発明の実施例１の光ディスク用対物レンズの基本パラメータとしては、焦点距離；ｆは２．２ｍｍであり、ＤＶＤの場合、レーザ光の波長が６６０（ｎｍ）、開口数；ＮＡが０．６、瞳半径；ｈｏが１．３１（ｍｍ）、レンズ屈折率が１．５０５５８７、光ディスクの保護膜（Cover  Grass:ｃ．ｇ．）の厚みが０．６（ｍｍ）、保護膜（ｃ．ｇ．）の屈折率が１．５７８６０９である。
【００２３】
ＣＤの場合には、レーザ光の波長が７８５（ｎｍ）、開口数；ＮＡが０．４５、瞳半径；ｈｏが１（ｍｍ）、レンズ屈折率が１．５０２４５１、光ディスクの保護膜（ｃ．ｇ．）の厚みが１．２（ｍｍ）、保護膜（ｃ．ｇ．）の屈折率が１．５７２２６である。
【００２４】
本発明の実施例１の光ディスク用対物レンズのレンズデータとしては、第１レンズ面の非球面の曲線Ｚ１(ｈ１)は、式（１）のように表される。
【数１】
2013122798.tif 000003
【００２５】
ここで、Ｚ１(ｈ１)は、光軸からｈ１の高さにおける光ディスク用対物レンズの第１レンズ面のサグ、ｈ１は光軸からの高さである瞳半径、ｋ１は光ディスク用対物レンズの第１レンズ面の円錐係数、Ａ１４、Ａ１６、Ａ１８、Ａ１１０、Ａ１１２は光ディスク用対物レンズの第１レンズ面非球面係数、Ｒ１は第１レンズ面の曲率半径を示す。
【００２６】
本発明の実施例１の光ディスク用対物レンズの第１レンズ面の基本形状は、瞳半径；ｈ１＝０〜１．３１ｍｍにて、曲率半径Ｒ１が１．４３８７ｍｍ、円錐係数ｋ１が、−０．２９２８１２、４次非球面係数Ａ１４が、−０．０１７２２７、６次非球面係数Ａ１６が、−０．００７０１８、８次非球面係数Ａ１８が、−０．００２５７５、１０次非球面係数Ａ１１０が、−０．０００４７、１２次非球面係数Ａ１１２が、−０．０００３０５となっている。
【００２７】
また、本発明の実施例１の光ディスク用対物レンズの第２レンズ面は、曲率半径が、―３．０２３５ｍｍ、円錐係数が０の曲面に形成され、作動距離（ワーキングディスタンス）ＷＤは、ＤＶＤの場合に、０．７８７５ｍｍに設定され、ＣＤの場合に、０．４２８４ｍｍに設定されている。
【００２８】
本発明の実施例１の光ディスク用対物レンズの第１レンズ面には、複数の輪帯構造が設けられており、ＤＶＤ／ＣＤ共用領域には、５つの輪帯構造が設けられ、瞳半径位置；ｈが０．００００〜０．３３９０（ｍｍ）には、輪帯幅Ｗが０．３３９０（ｍｍ）で、レンズ面ずれ量が０．００（μｍ）の非球面形状となる円形の第１輪帯が形成され、瞳半径位置；ｈが０．３３９０〜０．５２２０（ｍｍ）には、輪帯幅Ｗが０．１８３０（ｍｍ）で、レンズ面ずれ量が１．３２（μｍ）の第２輪帯が形成され、瞳半径位置；ｈが０．５２２０〜０．８７１０（ｍｍ）には、輪帯幅Ｗが０．３４９０（ｍｍ）で、レンズ面ずれ量が２．６７（μｍ）の第３輪帯が形成され、瞳半径位置；ｈが０．８７１０〜０．９５２０（ｍｍ）には、輪帯幅Ｗが０．０８１０（ｍｍ）で、レンズ面ずれ量が１．３２（μｍ）の第４輪帯が形成され、瞳半径位置；ｈが０．９５２０〜１．００００（ｍｍ）には、輪帯幅Ｗが０．０４８０（ｍｍ）で、レンズ面ずれ量が０．００（μｍ）の第５輪帯が形成されている。
【００２９】
本発明の実施例１の光ディスク用対物レンズの第１レンズ面のＤＶＤ専用領域には、本発明の特徴となる、ＤＶＤレーザ光を透過させ、ＣＤレーザ光を打ち消す輪帯構造が設けられており、第６輪帯から第２５輪帯まで、２０個の輪帯が設けられている。
【００３０】
第１レンズ面のＤＶＤ専用領域に形成されたこれらの輪帯は、実施例１の場合には、輪帯幅Ｗは等しく０．０１５５（ｍｍ）に設定されており、第６輪帯では、瞳半径位置；ｈが１．００００〜１．０１５５ｍｍで、輪帯深さが１．３４μｍであり、第７輪帯では、瞳半径位置；ｈが１．０１５５〜１．０３１０ｍｍで、輪帯深さが−２．７６μｍであり、第８輪帯では、瞳半径位置；ｈが１．０３１０〜１．０４６５    ｍｍで、輪帯深さが１．６０μｍであり、第９輪帯では、瞳半径位置；ｈが１．０４６５〜１．０６２０ｍｍで、輪帯深さが−４．１７μｍであり、第１０輪帯では、瞳半径位置；ｈが１．０６２０〜１．０７７５ｍｍで、輪帯深さが−１．４８μｍであり、第１１輪帯では、瞳半径位置；ｈが１．０７７５〜１．０９３０ｍｍで、輪帯深さが２．９４μｍであり、第１２輪帯では、瞳半径位置；ｈが１．０９３０〜１．１０８５ｍｍで、輪帯深さが−２．８６μｍであり、第１３輪帯では、瞳半径位置；ｈが１．１０８５〜１．１２４０ｍｍで、輪帯深さが１．６０μｍであり、第１４輪帯では、瞳半径位置；ｈが１．１２４０〜１．１３９５ｍｍで、輪帯深さが４．４１μｍであり、第１５輪帯では、瞳半径位置；ｈが１．１３９５〜１．１５５０ｍｍで、輪帯深さが−１．３６μｍであり、第１６輪帯では、瞳半径位置；ｈが１．１５５０〜１．１７０５ｍｍで、輪帯深さが１．４５μｍであり、第１７輪帯では、瞳半径位置；ｈが１．１７０５〜１．１８６０ｍｍで、輪帯深さが−４．２９μｍであり、第１８輪帯では、瞳半径位置；ｈが１．１８６０〜１．２０１５ｍｍで、輪帯深さが−１．４５μｍであり、第１９輪帯では、瞳半径位置；ｈが１．２０１５〜１．２１７０ｍｍで、輪帯深さが１．４５μｍであり、第２０輪帯では、瞳半径位置；ｈが１．２１７０〜１．２３２５ｍｍで、輪帯深さが４．３８μｍであり、第２１輪帯では、瞳半径位置；ｈが１．２３２５〜１．２４８０ｍｍで、輪帯深さが−１．３５μｍであり、第２２輪帯では、瞳半径位置；ｈが１．２４８０〜１．２６３５ｍｍで、輪帯深さが１．６０μｍであり、第２３輪帯では、瞳半径位置；ｈが１．２６３５〜１．２７９０ｍｍで、輪帯深さが２．８８μｍであり、第２４輪帯では、瞳半径位置；ｈが１．２７９０〜１．２９４５ｍｍで、輪帯深さが−２．８２μｍであり、第２５輪帯では、瞳半径位置；ｈが１．２９４５〜１．３１００ｍｍで、輪帯深さが−１．５５μｍに形成されている。
【００３１】
第１レンズ面のＤＶＤ専用領域に形成された輪帯の輪帯深さＤは、隣接する輪帯の光ディスクの記録面上の集光点までの光路長の差が、式（２）のように、ＤＶＤレーザ光に関してはＤＶＤレーザ光の波長の整数倍の光路長となるように設定されている。
【数２】
2013122798.tif 000004
【００３２】
ここに、Ｄｎ，Ｄｎ−１は、第ｎ番目と第ｎ−１番目の輪帯深さ、ｎ０は、空気の屈折率、Ｌ１ＤＶＤｎ，Ｌ１ＤＶＤｎ−１は、第ｎ番目と第ｎ−１番目の輪帯を通過した光線のレンズ内の通過距離、ｎＤＶＤはＤＶＤ波長に対するレンズの屈折率、Ｌ２ＤＶＤｎ，Ｌ２ＤＶＤｎ−１は、第ｎ番目と第ｎ−１番目の光線のレンズから光ディスクまでの通過距離、Ｌ３ＤＶＤｎ，Ｌ３ＤＶＤｎ−１は、第ｎ番目と第ｎ−１番目の光線の光ディスク表面から集光点までの通過距離、ｎc.g.ＤＶＤは、光ディスクの保護層の屈折率、Ｎは整数、λＤＶＤはＤＶＤレーザ光の波長である。
【００３３】
また、第１レンズ面のＤＶＤ専用領域に形成された輪帯の輪帯深さＤは、同時に、ＣＤレーザ光に関しては、隣接する輪帯の光ディスクの記録面上の集光点までの光路長の差が、式（３）のように、ＣＤレーザ光の波長の（整数＋０．５）倍の光路長となる深さとなるように設定されている。
【数３】
2013122798.tif 000005
【００３４】
ここに、Ｄｎ，Ｄｎ−１は、第ｎ番目と第ｎ−１番目の輪帯深さ、ｎ０は、空気の屈折率、Ｌ１ＣＤｎ，Ｌ１ＣＤｎ−１は、第ｎ番目と第ｎ−１番目の輪帯を通過した光線のレンズ内の通過距離、ｎＣＤはＣＤ波長に対するレンズの屈折率、Ｌ２ＣＤｎ，Ｌ２ＣＤｎ−１は、第ｎ番目と第ｎ−１番目の光線のレンズから光ディスクまでの通過距離、Ｌ３ＣＤｎ，Ｌ３ＣＤｎ−１は、第ｎ番目と第ｎ−１番目の光線の光ディスク表面から集光点までの通過距離、ｎc.g.ＣＤは、光ディスクの保護層の屈折率、Ｎは整数、λＣＤはＣＤレーザ光の波長である。
【００３５】
以上のように、輪帯深さが設定された第１レンズ面のＤＶＤ専用領域に形成された複数の輪帯により、ＤＶＤ専用領域を通過するＤＶＤ波長のレーザ光については、隣接する輪帯間の光路長差がＤＶＤ波長の整数倍となるため、確実にＤＶＤレーザ光が透過するとともに、ＤＶＤ専用領域を通過するＣＤ波長のレーザ光については、隣接する輪帯間の光路長差がＣＤ波長の（整数＋０．５）倍となるため、不要光であるＣＤ波長のレーザ光が輪帯構造により打ち消し合って消去される。
【００３６】
図２は、本発明の実施例１の光ディスク用対物レンズの断面の模式図である。実施例１の光ディスク用対物レンズ２０１では、半径方向に、ＤＶＤ／ＣＤ共用領域２０４には、５つの輪帯構造が設けられ、ＤＶＤ専用領域２０３には２０個の輪帯２０２が形成されているが、図２では簡単に、ＤＶＤ／ＣＤ共用領域２０４に３つの輪帯構造と、ＤＶＤ専用領域２０３に３つの輪帯２０２を模式的に示している。
【００３７】
図２において、ＤＶＤ／ＣＤ共用領域２０４では、点線で示した３つの曲線のうちの中央の曲線を、式（１）で示す非球面として、その非球面からのレンズ面ずれ量を有する輪帯構造を備えている。このＤＶＤ／ＣＤ共用領域２０４のレンズ面ずれ量は、ＤＶＤとＣＤの共用領域であるため、隣接する輪帯のレンズ面ずれ量が、ＤＶＤレーザ光の集光点までの光路長差が、ＤＶＤレーザ光の整数倍となり、且つ、ＣＤレーザ光の集光点までの光路長差が、ＣＤレーザ光の整数倍となるように設定されている。
【００３８】
図２において、ＤＶＤ専用領域２０３では、各輪帯２０２の輪帯幅Ｗは一定に設定されているが、各輪帯の輪帯深さＤ１，Ｄ２，Ｄ３，・・・Ｄ２０は、隣接する輪帯２０２の光ディスクの記録面上の集光点までの光路長の差が、ＤＶＤレーザ光の場合は、ＤＶＤレーザ光の波長の整数倍となり、ＣＤレーザ光の場合は、ＣＤレーザ光の波長の（整数＋０．５）倍となるように、各輪帯２０２の輪帯深さＤｎが設定されている。
【００３９】
図３は、本発明の実施例１の光ディスク用対物レンズにＤＶＤレーザ光を照射した場合の波面収差を示す図であり、図３（Ａ）はＣＤ／ＤＶＤ共用領域とＤＶＤ共用領域の波面収差を示す図であり、図３（Ｂ）は  ＤＶＤ共用領域の波面収差を示す拡大図である。
【００４０】
図３（Ａ）に示されるように、本発明の実施例１の光ディスク用対物レンズでは、ＤＶＤレーザ光を照射した場合、瞳半径位置；ｈが０〜１ｍｍのＤＶＤ／ＣＤ共用領域においても、瞳半径位置；ｈが１〜１．３ｍｍのＤＶＤ専用領域においても、集光点からみた波面収差は、波長を単位として−０．１〜０．１の範囲内に収まっており、良好な状謡を示している。
【００４１】
図４は、本発明の実施例１の光ディスク用対物レンズにＣＤレーザ光を照射した場合の波面収差を示す図であり、図４（Ａ）はＣＤ／ＤＶＤ共用領域とＤＶＤ共用領域の波面収差を示す図であり、図４（Ｂ）は  ＤＶＤ専用領域の波面収差を示す拡大図である。
【００４２】
図４(Ａ)に示されるように、本発明の実施例１の光ディスク用対物レンズでは、ＣＤレーザ光を照射した場合、瞳半径位置；ｈが０〜１ｍｍのＤＶＤ／ＣＤ共用領域においては、集光点からみた波面収差は、波長を単位として−０．１〜０．１の範囲内に収まっており、良好な状謡を示している。
【００４３】
一方、図４（Ａ）のＤＶＤ専用領域、図４（Ｂ）のＤＶＤ専用領域の拡大図に見られるように、−０．２から０．４の比較的大きい波面収差が発生しているものの、波面収差は正負の収差が０．５程度に交互に発生しており、この波面収差が隣接する輪帯の間で分散され、あるいは消去されるものとなっている。
【００４４】
図５は、ＤＶＤ専用領域に輪帯構造がない場合の波面収差を示す参考図である。図５（Ａ）は、ＤＶＤレーザ光を照射した場合の波面収差を示しており、図５（Ｂ）は、ＣＤレーザ光を照射した場合の波面収差を示している。
【００４５】
ＤＶＤ専用領域に輪帯構造を設けない場合には、ＤＶＤレーザ光を照射した場合には、ＤＶＤ／ＣＤ共用領域においても、ＤＶＤ専用領域においても、波面収差は比較的低く抑えられているが、ＣＤレーザ光を照射した場合に、特に、ＤＶＤ専用領域において、大幅な波面収差が発生し、ＣＤの不要光としてノイズとなる。
【００４６】
図６は、ＣＤレーザ光を照射した場合の光ディスク面上の光スポット断面図であり、図６（Ａ）は、本発明の実施例１の光ディスク用対物レンズによる光スポット断面図、図６（Ｂ）は、ＤＶＤ専用領域に輪帯構造がない場合の光スポット断面図を示している。
【００４７】
図６（Ｂ）のＤＶＤ専用領域に輪帯構造がない場合には、ＤＶＤ専用領域を通過したＣＤレーザ光により、集光点のメインスポット（−１０〜＋１０μｍ）の周辺のサブスポット位置（−２０〜−１０μｍ，＋１０〜＋２０μｍ）に、ＣＤ不要光が集光して、メインスポットを中心に環状のＣＤ不要光を形成する。
【００４８】
このサブスポット位置には、通常、トラックずれ検出信号を検出するためのサブスポットを配置した光ピックアップ装置も多く、不要光がサブスポット周辺に散乱していると、サブスポットを用いて検出するトラックずれ検出信号などに誤差が生じる。
【実施例２】
【００４９】
図７は、本発明の実施例２の光ディスク用対物レンズの設計データを示す図である。
【００５０】
本発明の実施例２の光ディスク用対物レンズの基本パラメータとしては、焦点距離；ｆ、ＤＶＤ波長、開口数；ＮＡ、瞳半径；ｈｏ、レンズ屈折率、光ディスクの保護膜の厚み、保護膜の屈折率は、実施例１と同じである。
【００５１】
また、ＣＤの場合の波長、開口数；ＮＡ、瞳半径；ｈｏ、レンズ屈折率、光ディスクの保護膜の厚み、保護膜の屈折率も実施例１と同じである。
【００５２】
本発明の実施例の光ディスク用対物レンズの第１レンズ面の非球面の曲線Ｚ１(ｈ１)の、瞳半径；ｈ１、曲率半径Ｒ１、円錐係数ｋ１、４次非球面係数Ａ１４、６次非球面係数Ａ１６、８次非球面係数Ａ１８、１０次非球面係数Ａ１１０、１２次非球面係数Ａ１１２も実施例１と同じである。
【００５３】
また、本発明の実施例２の光ディスク用対物レンズの第２レンズ面も、実施例１と同じに形成され、作動距離（ワーキングディスタンス）ＷＤは、ＤＶＤの場合、ＣＤの場合に、実施例１と同じに設定されている。
【００５４】
本発明の実施例２の光ディスク用対物レンズの第１レンズ面には、複数の輪帯構造が設けられており、実施例１と同じく、ＤＶＤ／ＣＤ共用領域には、５つの輪帯構造が設けられ、輪帯幅Ｗとレンズ面ずれ量は実施例１と同様に第１輪帯〜第５輪帯が形成されている。
【００５５】
本発明の実施例２の光ディスク用対物レンズの第１レンズ面のＤＶＤ専用領域には、本発明の実施例１と同じく、ＤＶＤレーザ光を透過させ、ＣＤレーザ光を打ち消す輪帯構造が設けられており、第６輪帯から第２５輪帯まで、２０個の輪帯が設けられている。
【００５６】
第１レンズ面のＤＶＤ専用領域に形成されたこれらの輪帯は、実施例１の場合には、輪帯幅Ｗは等しく０．０１５５（ｍｍ）に設定されていたが、実施例２では、輪帯幅Ｗ１、Ｗ２、Ｗ３、・・・Ｗ２０はレンズの外側に行くにつれて狭くなるように形成されている。
【００５７】
第６輪帯では、瞳半径位置；ｈが１．００００〜１．０１５５ｍｍで、輪帯幅が０．０１７７ｍｍで、輪帯深さが１．３４μｍであり、第７輪帯では、瞳半径位置；ｈが１．０１５５〜１．０３１０ｍｍで、輪帯幅が０．０１７４ｍｍで、輪帯深さが−２．７６μｍであり、第８輪帯では、瞳半径位置；ｈが１．０３１０〜１．０４６５  ｍｍで、輪帯幅が０．０１７２ｍｍで、輪帯深さが１．６０μｍであり、第９輪帯では、瞳半径位置；ｈが１．０４６５〜１．０６２０ｍｍで、輪帯幅が０．０１６９ｍｍで、輪帯深さが−４．１７μｍであり、第１０輪帯では、瞳半径位置；ｈが１．０６２０〜１．０７７５ｍｍで、輪帯幅が０．０１６６ｍｍで、輪帯深さが−１．４８μｍであり、第１１輪帯では、瞳半径位置；ｈが１．０７７５〜１．０９３０ｍｍで、輪帯幅が０．０１６４ｍｍで、輪帯深さが２．９４μｍであり、第１２輪帯では、瞳半径位置；ｈが１．０９３０〜１．１０８５ｍｍで、輪帯幅が０．０１６１ｍｍで、輪帯深さが−２．８６μｍであり、第１３輪帯では、瞳半径位置；ｈが１．１０８５〜１．１２４０ｍｍで、輪帯幅が０．０１５９ｍｍで、輪帯深さが１．６０μｍであり、第１４輪帯では、瞳半径位置；ｈが１．１２４０〜１．１３９５ｍｍで、輪帯幅が０．０１５７ｍｍで、輪帯深さが４．４１μｍであり、第１５輪帯では、瞳半径位置；ｈが１．１３９５〜１．１５５０ｍｍで、輪帯幅が０．０１５５ｍｍで、輪帯深さが−１．３６μｍであり、第１６輪帯では、瞳半径位置；ｈが１．１５５０〜１．１７０５ｍｍで、輪帯幅が０．０１５３ｍｍで、輪帯深さが１．４５μｍであり、第１７輪帯では、瞳半径位置；ｈが１．１７０５〜１．１８６０ｍｍで、輪帯幅が０．０１５１ｍｍで、輪帯深さが−４．２９μｍであり、第１８輪帯では、瞳半径位置；ｈが１．１８６０〜１．２０１５ｍｍで、輪帯幅が０．０１４９ｍｍで、輪帯深さが−１．４５μｍであり、第１９輪帯では、瞳半径位置；ｈが１．２０１５〜１．２１７０ｍｍで、輪帯幅が０．０１４７ｍｍで、輪帯深さが１．４５μｍであり、第２０輪帯では、瞳半径位置；ｈが１．２１７０〜１．２３２５ｍｍで、輪帯幅が０．０１４５ｍｍで、輪帯深さが４．３８μｍであり、第２１輪帯では、瞳半径位置；ｈが１．２３２５〜１．２４８０ｍｍで、輪帯幅が０．０１４４ｍｍで、輪帯深さが−１．３５μｍであり、第２２輪帯では、瞳半径位置；ｈが１．２４８０〜１．２６３５ｍｍで、輪帯幅が０．０１４２ｍｍで、輪帯深さが１．６０μｍであり、第２３輪帯では、瞳半径位置；ｈが１．２６３５〜１．２７９０ｍｍで、輪帯幅が０．０１４０ｍｍで、輪帯深さが２．８８μｍであり、第２４輪帯では、瞳半径位置；ｈが１．２７９０〜１．２９４５ｍｍで、輪帯幅が０．０１３９ｍｍで、輪帯深さが−２．８２μｍであり、第２５輪帯では、瞳半径位置；ｈが１．２９４５〜１．３１００ｍｍで、輪帯幅が０．０１３７ｍｍで、輪帯深さが−１．５５μｍに形成されている。
【００５８】
第１レンズ面のＤＶＤ専用領域に形成された輪帯の輪帯深さＤは、隣接する輪帯の光ディスクの記録面上の集光点までの光路長の差が、式（２）のように、ＤＶＤレーザ光に関してはＤＶＤレーザ光の波長の整数倍の光路長となるように設定されている。
【００５９】
また、第１レンズ面のＤＶＤ専用領域に形成された輪帯の輪帯深さＤは、同時に、ＣＤレーザ光に関しては、隣接する輪帯の光ディスクの記録面上の集光点までの光路長の差が、式（３）のように、ＣＤレーザ光の波長の（整数＋０．５）倍の光路長となる深さとなるように設定されている。
【００６０】
以上のように、輪帯深さが設定された第１レンズ面のＤＶＤ専用領域に形成された複数の輪帯により、ＤＶＤ専用領域を通過するＤＶＤ波長のレーザ光については、隣接する輪帯間の光路長差がＤＶＤ波長の整数倍となるため、確実にＤＶＤレーザ光が透過するとともに、ＤＶＤ専用領域を通過するＣＤ波長のレーザ光については、隣接する輪帯間の光路長差がＣＤ波長の（整数＋０．５）倍となるため、不要光であるＣＤ波長のレーザ光が輪帯構造により打ち消し合って消去される。
【００６１】
図８は、本発明の実施例２の光ディスク用対物レンズ８０１の断面の模式図である。実施例２の光ディスク用対物レンズ８０１では、実施例１と同様に、半径方向に、ＤＶＤ／ＣＤ共用領域８０４には、５つの輪帯構造が設けられ、ＤＶＤ専用領域８０３には２０個の輪帯８０２が形成されているが、図８では簡単に、ＤＶＤ／ＣＤ共用領域８０４に３つの輪帯構造と、ＤＶＤ専用領域８０３に３つの輪帯８０２を模式的に示している。
【００６２】
図８において、ＤＶＤ／ＣＤ共用領域８０４では、点線で示した３つの曲線のうちの中央の曲線を、式（１）で示す非球面として、その非球面からのレンズ面ずれ量を有する輪帯構造を備えている。このＤＶＤ／ＣＤ共用領域８０４のレンズ面ずれ量は、ＤＶＤとＣＤの共用領域であるため、隣接する輪帯のレンズ面ずれ量が、ＤＶＤレーザ光の集光点までの光路長差が、ＤＶＤレーザ光の整数倍となり、且つ、ＣＤレーザ光の集光点までの光路長差が、ＣＤレーザ光の整数倍となるように設定されている。
【００６３】
図８において、ＤＶＤ専用領域８０３では、実施例１では各輪帯２０２の輪帯幅Ｗは一定に設定されているが、実施例２では、各輪帯８０２の輪帯幅Ｗ１，Ｗ２，Ｗ３，・・・Ｗ２０は、レンズの外側に行くにつれて狭くなるように形成され、各輪帯８０２の輪帯深さＤ１，Ｄ２，Ｄ３，・・・Ｄ２０は、隣接する輪帯８０２の光ディスクの記録面上の集光点までの光路長の差が、ＤＶＤレーザ光の場合は、ＤＶＤレーザ光の波長の整数倍となり、ＣＤレーザ光の場合は、ＣＤレーザ光の波長の（整数＋０．５）倍となるように、各輪帯８０２の輪帯深さＤｎが設定されている。
【００６４】
図９は、本発明の実施例２の光ディスク用対物レンズにＤＶＤレーザ光を照射した場合の波面収差を示す図であり、図９（Ａ）はＣＤ／ＤＶＤ共用領域とＤＶＤ共用領域の波面収差を示す図であり、図９（Ｂ）は  ＤＶＤ共用領域の波面収差を示す拡大図である。
【００６５】
図９（Ａ）に示されるように、本発明の実施例２の光ディスク用対物レンズでは、ＤＶＤレーザ光を照射した場合、瞳半径位置；ｈが０〜１ｍｍのＤＶＤ／ＣＤ共用領域においても、瞳半径位置；ｈが１〜１．３ｍｍのＤＶＤ専用領域においても、集光点からみた波面収差は、波長を単位として−０．１〜０．１の範囲内に収まっており、良好な状謡を示している。
【００６６】
図１０は、本発明の実施例２の光ディスク用対物レンズにＣＤレーザ光を照射した場合の波面収差を示す図であり、図１０（Ａ）はＣＤ／ＤＶＤ共用領域とＤＶＤ共用領域の波面収差を示す図であり、図１０（Ｂ）は  ＤＶＤ専用領域の波面収差を示す拡大図である。
【００６７】
図１０(Ａ)に示されるように、本発明の実施例１の光ディスク用対物レンズでは、ＣＤレーザ光を照射した場合、瞳半径位置；ｈが０〜１ｍｍのＤＶＤ／ＣＤ共用領域においては、集光点からみた波面収差は、波長を単位として−０．１〜０．１の範囲内に収まっており、良好な状謡を示している。
【００６８】
一方、図１０（Ａ）のＤＶＤ専用領域、図１０（Ｂ）のＤＶＤ専用領域の拡大図に見られるように、−０．４から０．４の比較的大きい波面収差が発生しているものの、波面収差は正負の収差が０．５程度に交互に発生しており、この波面収差が隣接する輪帯の間で分散され、あるいは消去されるものとなっている。
【００６９】
図１１は、ＤＶＤ専用領域に輪帯構造がない場合の波面収差を示す参考図である。図１１（Ａ）は、ＤＶＤレーザ光を照射した場合の波面収差を示しており、図５（１１）は、ＣＤレーザ光を照射した場合の波面収差を示している。
【００７０】
ＤＶＤ専用領域に輪帯構造を設けない場合には、ＤＶＤレーザ光を照射した場合には、ＤＶＤ／ＣＤ共用領域においても、ＤＶＤ専用領域においても、波面収差は比較的低く抑えられているが、ＣＤレーザ光を照射した場合に、特に、ＤＶＤ専用領域において、大幅な波面収差が発生し、ＣＤの不要光としてノイズとなる。
【００７１】
図１２は、ＣＤレーザ光を照射した場合の光ディスク面上の光スポット断面図であり、図１２（Ａ）は、本発明の実施例２の光ディスク用対物レンズによる光スポット断面図、図１２（Ｂ）は、ＤＶＤ専用領域に輪帯構造がない場合の光スポット断面図である。
【００７２】
図１２（Ｂ）のＤＶＤ専用領域に輪帯構造がない場合には、ＤＶＤ専用領域を通過したＣＤレーザ光により、集光点のメインスポット（−１０〜＋１０μｍ）の周辺のサブスポット位置（−２０〜−１０μｍ，＋１０〜＋２０μｍ）に、ＣＤ不要光が集光して、メインスポットを中心に環状のＣＤ不要光を形成する。
【００７３】
一方、本発明の実施例２の光ディスク用対物レンズでは、図１２（Ａ）に示すように、実施例１の場合に発生していた、中心から５０〜６０μｍの位置の小さなＣＤ不要光も分散されて、ＣＤ不要光の環状のリングのノイズも発生せず、メインスポット周辺に集光する不要光あるいはサブスポット周辺に散乱する不要光を除去することができる。
【実施例３】
【００７４】
図１３は、本発明の実施例３の光ディスク用対物レンズ１３０１の断面の模式図である。
【００７５】
実施例１，２がＤＶＤ／ＣＤ互換の光ディスク用対物レンズであったのに対し、実施例３の光ディスク用対物レンズ１３０１は短波長の青色レーザ光を用いるＢＤ（Blu-Ray Disc）とＤＶＤを使用できるＢＤ／ＤＶＤ互換の光ディスク用対物レンズ１３０１に本発明を適用した例である。
【００７６】
図１３において、ＢＤ／ＤＶＤ共用領域１３０４には、式（１）による非球面に対して、レンズ面ずれ量を有する輪帯構造が設けられ、ＢＤ専用領域１３０３には、輪帯幅ｗ１，ｗ２，ｗ３，・・と、輪帯深さｄ１，ｄ２，ｄ３，・・が異なる複数の輪帯１３０２が設けられている。
【００７７】
第１レンズ面のＢＤ専用領域１３０３に形成された輪帯１３０２の輪帯深さｄ１，ｄ２，ｄ３，・・は、隣接する輪帯１３０２の光ディスクの記録面上の集光点までの光路長の差が、式（４）のように、ＢＤレーザ光に関してはＢＤレーザ光の波長の整数倍の光路長となるように設定されている。
【数４】
2013122798.tif 000006
ここに、ｄｎ，ｄｎ−１は、第ｎ番目と第ｎ−１番目の輪帯深さ、ｎ０は、空気の屈折率、Ｌ１ＢＤｎ，Ｌ１ＢＤｎ−１は、第ｎ番目と第ｎ−１番目の輪帯を通過した光線のレンズ内の通過距離、ｎＢＤはＢＤ波長に対するレンズの屈折率、Ｌ２ＢＤｎ，Ｌ２ＢＤｎ−１は、第ｎ番目と第ｎ−１番目の光線のレンズから光ディスクまでの通過距離、Ｌ３ＢＤｎ，Ｌ３ＢＤｎ−１は、第ｎ番目と第ｎ−１番目の光線の光ディスク表面から集光点までの通過距離、ｎc.g.ＢＤは、光ディスクの保護層の屈折率、Ｎは整数、λＢＤはＢＤレーザ光の波長である。
【００７８】
また、第１レンズ面のＢＤ専用領域１３０３に形成された輪帯１３０２の輪帯深さｄ１，ｄ２，ｄ３，・・は、同時に、ＤＶＤレーザ光に関しては、隣接する輪帯１３０２の光ディスクの記録面上の集光点までの光路長の差が、式（５）のように、ＤＶＤレーザ光の波長の（整数＋０．５）倍の光路長となる深さとなるように設定されている。
【数５】
2013122798.tif 000007
【００７９】
ここに、ｄｎ，ｄｎ−１は、第ｎ番目と第ｎ−１番目の輪帯深さ、ｎ０は、空気の屈折率、Ｌ１ＤＶＤｎ，Ｌ１ＤＶＤｎ−１は、第ｎ番目と第ｎ−１番目のレンズ内の輪帯を通過した光線の通過距離、ｎＤＶＤはＤＶＤ波長に対するレンズの屈折率、Ｌ２ＤＶＤｎ，Ｌ２ＤＶＤｎ−１は、第ｎ番目と第ｎ−１番目の光線のレンズから光ディスクまでの通過距離、Ｌ３ＤＶＤｎ，Ｌ３ＤＶＤｎ−１は、第ｎ番目と第ｎ−１番目の光線の光ディスク表面から集光点までの通過距離、ｎc.g.ＤＶＤは、光ディスクの保護層の屈折率、Ｍは整数、λＤＶＤはＤＶＤレーザ光の波長である。
【００８０】
以上のように、輪帯深さが設定された第１レンズ面のＢＤ専用領域１３０３に形成された複数の輪帯１３０２により、ＢＤ専用領域１３０３を通過するＢＤ波長のレーザ光については、隣接する輪帯１３０２間の光路長差がＤＶＤ波長の整数倍となるため、確実にＤＶＤレーザ光が透過するとともに、ＢＤ専用領域を通過するＤＶＤ波長のレーザ光については、隣接する輪帯１３０２間の光路長差がＤＶＤ波長の（整数＋０．５）倍となるため、不要光であるＤＶＤ波長のレーザ光が輪帯構造により打ち消し合って消去される。
【実施例４】
【００８１】
図１４は、本発明の実施例４の光ディスク用対物レンズ１４０１の断面の模式図である。
【００８２】
実施例１，２がＤＶＤ／ＣＤ互換の光ディスク用対物レンズであり、実施例３の光ディスク用対物レンズがＢＤ／ＤＶＤ互換の光ディスク用対物レンズであるのに対し、本発明の実施例４は、ＢＤ／ＤＶＤ／ＣＤ互換の光ディスク用対物レンズ１４０１に本発明を適用した例である。
【００８３】
図１４において、ＢＤ／ＤＶＤ／ＣＤ共用領域１４０６には、式（１）による非球面に対して、レンズ面ずれ量を有する輪帯構造が設けられている。
【００８４】
また、ＢＤ／ＤＶＤ共用領域１４０５には、輪帯幅Ｗ１，Ｗ２，Ｗ３，・・と、輪帯深さＤ１，Ｄ２，Ｄ３，・・が異なる複数の輪帯１４０３が設けられている。
【００８５】
また、ＢＤ専用領域１４０４には、輪帯幅ｗ１，ｗ２，ｗ３，・・と、輪帯深さｄ１，ｄ２，ｄ３，・・が異なる複数の輪帯１４０２が設けられている。
【００８６】
第１レンズ面のＢＤ／ＤＶＤ共用領域１４０５に設けられた複数の輪帯１４０３の輪帯深さＤ１，Ｄ２，Ｄ３，・・が、隣接する輪帯１４０３の光ディスクの記録面上の集光点までの光路長の差が、ＢＤレーザ光とＤＶＤレーザ光に関しては、式（６）及び式（７）に示すように、それぞれ、ＢＤレーザ光の波長、ＤＶＤレーザ光の波長の整数倍の光路長となるように設定されている。
【数６】
2013122798.tif 000008
【数７】
2013122798.tif 000009
【００８７】
また、ＣＤレーザ光に関しては、式（８）に示すように、ＣＤレーザ光の波長の（整数＋０．５）倍となるように設定されている。
【数８】
2013122798.tif 000010
【００８８】
また、本発明の実施例４の第１レンズ面のＢＤ専用領域１４０４に設けられた複数の輪帯１４０２の輪帯深さｄ１，ｄ２，ｄ３，・・については、隣接する輪帯１４０２の光ディスクの記録面上の集光点までの光路長の差が、ＢＤレーザ光に関しては、式（９）に示すように、ＢＤレーザ光の波長の整数倍の光路長となるように設定されている。
【数９】
2013122798.tif 000011
【００８９】
また、第１レンズ面のＢＤ専用領域１４０４に形成された輪帯１４０２の輪帯深さｄ１，ｄ２，ｄ３，・・は、隣接する輪帯１４０２の光ディスクの記録面上の集光点までの光路長の差が、式（１０）及び式（１１）のように、ＤＶＤレーザ光とＣＤレーザ光に関しては、それぞれ、ＤＶＤレーザ光及びＣＤレーザ光の波長の（整数＋０．５）倍の光路長となるように設定されている。
【数１０】
2013122798.tif 000012
【数１１】
2013122798.tif 000013
【００９０】
以上のように、第１レンズ面のＢＤ専用領域１４０４、ＢＤ／ＤＶＤ共用領域１４０５に、輪帯深さの異なる複数の輪帯１４０２、１４０３を形成することにより、各領域において、必要なレーザ光は透過し、不要なレーザ光は消去する高性能の光ディスク用対物レンズを形成することができる。また、この光ディスク用対物レンズを光ピックアップ装置に搭載することにより高性能な光ディスク用ピックアップ装置を提供することができる。
【符号の説明】
【００９１】
２０１  光ディスク用対物レンズ
２０２  輪帯
２０３  ＤＶＤ専用領域
２０４  ＤＶＤ／ＣＤ共用領域
８０１  光ディスク用対物レンズ
８０２  輪帯
８０３  ＤＶＤ専用領域
８０４  ＤＶＤ／ＣＤ共用領域
１３０１  光ディスク用対物レンズ
１３０２  輪帯
１３０３  ＢＤ専用領域
１３０４  ＢＤ／ＤＶＤ共用領域
１４０１  光ディスク用対物レンズ
１４０２  輪帯
１４０３  輪帯
１４０４  ＢＤ専用領域
１４０５  ＢＤ／ＤＶＤ共用領域
１４０６  ＢＤ／ＤＶＤ／ＣＤ共用領域
【図１】
2013122798.tif 000014
【図２】
2013122798.tif 000015
【図３】
2013122798.tif 000016
【図４】
2013122798.tif 000017
【図５】
2013122798.tif 000018
【図６】
2013122798.tif 000019
【図７】
2013122798.tif 000020
【図８】
2013122798.tif 000021
【図９】
2013122798.tif 000022
【図１０】
2013122798.tif 000023
【図１１】
2013122798.tif 000024
【図１２】
2013122798.tif 000025
【図１３】
2013122798.tif 000026
【図１４】
2013122798.tif 000027